(57)【要約】【課題】磁気テープにおいて、高速応答を可能にするとともに、磁気テープの記録面を有効に利用して大記憶容量化が可能にする。【解決手段】テープＴの幅方向に山形または谷形の信号強度分布を有するサーボトラックＳＴを少なくとも一つ備えて磁気テープＭＴを構成する。サーボトラックＳＴは、例えば、幅方向に向いた磁気モーメント４１が一つ配置されるように構成される。そして、サーボトラックＳＴの幅よりも小さい読取幅を有する誘導型のサーボ信号読取素子ＳＲａ，ＳＲｂによりサーボトラックＳＴからサーボ信号を読み取り、このサーボ信号の出力に応じて磁気ヘッドＨをトラッキング制御する。【選択図】図１
2009020943.tif 000002
【特許請求の範囲】
【請求項１】
テープの幅方向に山形または谷形の信号強度分布を有するサーボトラックを少なくとも一つ備えたことを特徴とする磁気テープ。
【請求項２】
前記サーボトラックは、前記テープの幅方向に向いた磁気モーメントを、一のサーボトラックの全幅において一つ有するサーボパターンが配置されてなることを特徴とする請求項１に記載の磁気テープ。
【請求項３】
前記サーボトラックは、前記テープの厚み方向に向いた磁気モーメントを、一のサーボトラックの全幅において一つ有するサーボパターンが配置されてなることを特徴とする請求項１に記載の磁気テープ。
【請求項４】
前記サーボトラックは、前記テープの厚み方向に向いた磁気モーメントを、一のサーボトラックの全幅において複数有するサーボパターンが配置され、前記一のサーボトラックの幅方向中央に近い磁気モーメントほど、その大きさが大きいことを特徴とする請求項１に記載の磁気テープ。
【請求項５】
前記サーボトラックは、前記磁気モーメントの大きさが、前記テープの長手方向において、連続的または断続的に変化していることを特徴とする請求項２から請求項４のいずれか１項に記載の磁気テープ。
【請求項６】
前記磁気モーメントは、前記テープの長手方向において、磁気モーメントの向きが反転していることを特徴とする請求項２から請求項４のいずれか１項に記載の磁気テープ。
【請求項７】
前記サーボトラックは、前記磁気モーメントの大きさの変化により符号化された情報が記録されていることを特徴とする請求項２から請求項４のいずれか１項に記載の磁気テープ。
【請求項８】
前記サーボトラックは、前記磁気モーメントの前記テープの長手方向における配置の間隔により符号化された情報が記録されていることを特徴とする請求項２から請求項４のいずれか１項に記載の磁気テープ。
【請求項９】
請求項１から請求項８のいずれか１項に記載の磁気テープが、カートリッジケースに収容されてなることを特徴とする磁気テープカートリッジ。
【請求項１０】
テープの幅方向に山形または谷形の信号強度分布を有するサーボトラックを少なくとも一つ備えた磁気テープに対し、情報の記録または再生を行う磁気テープドライブであって、
前記サーボトラックの幅よりも小さな読取幅を有するサーボ信号読取素子が一の前記サーボトラックの幅内に少なくとも２つ設けられた磁気ヘッドと、
前記磁気ヘッドを前記磁気テープの幅方向に移動させるアクチュエータと、
前記サーボ信号読取素子が読み取った信号に基づいて、前記アクチュエータを作動させることで前記磁気ヘッドをトラッキング制御する制御装置と、を備え、
前記制御装置は、前記２つのサーボ信号読取素子が読み取った各サーボ信号の強度の差が所定値に近づくように前記アクチュエータを作動させることを特徴とする磁気テープドライブ。
【請求項１１】
前記制御装置は、前記２つのサーボ信号読取素子が読み取った各サーボ信号を、その強度が一方に対し他方が大きくなるように補正することにより、前記２つのサーボ信号読取素子が前記サーボトラックの中央からずれた位置になるようにトラッキング制御することを特徴とする請求項１０に記載の磁気テープドライブ。
【請求項１２】
前記サーボトラックは、前記テープの幅方向に向いた磁気モーメントが、一のサーボトラックの全幅において一つ配置されてなり、前記２つのサーボ信号読取素子は、前記テープの幅方向に向いた磁気ギャップを有する誘導型磁気ヘッドであることを特徴とする請求項１０または請求項１１に記載の磁気テープドライブ。
【請求項１３】
前記サーボトラックは、前記テープの厚み方向に向いた磁気モーメントが、一のサーボトラックの全幅において一つまたは複数配置されてなり、前記２つのサーボ信号読取素子は、ＭＲヘッドからなることを特徴とする請求項１０または請求項１１に記載の磁気テープドライブ。
【請求項１４】
テープの幅方向に山形または谷形の信号強度分布を有するサーボトラックを少なくとも一つ備えた磁気テープに対し、前記サーボトラックの幅よりも小さな読取幅を有するサーボ信号読取素子が一の前記サーボトラックの幅内に少なくとも２つ設けられた磁気ヘッドをトラッキング制御する方法であって、
前記２つのサーボ信号読取素子により前記サーボトラックからサーボ信号を読み取り、読み取った２つのサーボ信号の強度が所定値に近づくように前記磁気ヘッドを前記テープの幅方向に移動させることを特徴とする磁気ヘッドのトラッキング制御方法。
【請求項１５】
テープの幅方向に山形または谷形の信号強度分布を有するサーボトラックを少なくとも一つ備えた磁気テープを製造するためのサーボライタであって、
前記サーボトラックに信号が記録されていない磁気テープ素材を供給し、走行させる磁気テープ搬送装置と、
走行している前記磁気テープ素材に摺接され、前記サーボトラックにサーボ信号を記録するサーボ信号書込ヘッドと、
前記サーボ信号書込ヘッドに信号を入力する制御装置とを備え、
前記サーボ信号書込ヘッドは、一の前記サーボトラックに対応して、前記磁気テープ素材の幅方向に向いた一つの磁気ギャップが形成されていることを特徴とするサーボライタ。
【請求項１６】
テープの幅方向に山形または谷形の信号強度分布を有するサーボトラックを少なくとも一つ備えた磁気テープを製造するためのサーボライタであって、
前記サーボトラックに信号が記録されていない磁気テープ素材を供給し、走行させる磁気テープ搬送装置と、
走行している前記磁気テープ素材に摺接され、前記サーボトラックにサーボ信号を記録するサーボ信号書込ヘッドと、
前記サーボ信号書込ヘッドに信号を入力する制御装置とを備え、
前記サーボ信号書込ヘッドは、一の前記サーボトラックに対応して、当該サーボトラックの幅内に前記テープの厚み方向に向いた一つの磁気モーメントを形成する誘導型磁気ヘッドであることを特徴とするサーボライタ。
【請求項１７】
テープの幅方向に山形または谷形の信号強度分布を有するサーボトラックを少なくとも一つ備えた磁気テープを製造するためのサーボライタであって、
前記サーボトラックに信号が記録されていない磁気テープ素材を供給し、走行させる磁気テープ搬送装置と、
走行している前記磁気テープ素材に摺接され、前記サーボトラックにサーボ信号を記録するサーボ信号書込ヘッドと、
前記サーボ信号書込ヘッドに信号を入力する制御装置とを備え、
前記サーボ信号書込ヘッドは、一の前記サーボトラックに対応して、当該サーボトラックの幅内に前記テープの厚み方向に向いた複数の磁気モーメントを形成する誘導型磁気ヘッドであり、当該誘導型磁気ヘッドを構成する磁気コアは、前記幅方向において磁気的に複数に分割され、当該分割された各部分の透磁率の大きさは、幅方向中央から外側へ向かって徐々に大きくまたは徐々に小さくなることを特徴とするサーボライタ。
【発明の詳細な説明】
【技術分野】
【０００１】
本発明は、磁気テープ、磁気テープカートリッジ、磁気テープドライブ、磁気ヘッドのトラッキング制御方法およびサーボライタに関する。
【背景技術】
【０００２】
近年、磁気テープは、高記録密度化に伴い、データトラックの幅が極めて狭くなっている。この狭いデータトラックに精度良く磁気ヘッドの記録または再生素子を追従させるため、磁気テープには予めデータトラックの基準位置を示すサーボ信号が書き込まれている。
サーボ信号は、磁気テープに設定されたサーボトラック内に書き込まれている。例えば特許文献１に開示されたように、サーボトラック内には、ハの字形の磁気パターン（以下、「サーボパターン」という。）が、磁気テープの長手方向に繰り返し書き込まれている。
【０００３】
特許文献１に記載のサーボパターンは、磁気テープドライブ内において、ハの字の幅よりも小さな幅のサーボ信号読取素子を有する磁気ヘッドで読み取られることで、断続的にパルス信号を発生させる。そして、発生したパルス信号の時間的間隔により、磁気ヘッドのトラッキング位置（磁気テープの幅方向についての位置）を演算し、磁気ヘッドの位置を制御している。
【０００４】
また、他の磁気テープのトラッキング制御方法として、特許文献２のように、２つのサーボトラックを有し、この２つのサーボトラックに対応して２つのサーボ信号読取用のヘッドを設け、２つのサーボ信号読取用のヘッドが読み取ったサーボ信号の強度に応じて磁気ヘッドをトラッキングしているものが知られている。
【０００５】
なお、従来技術のサーボパターンにおいては、磁気モーメントの方向が磁気テープの長手方向に沿って形成されていた。
【０００６】
【特許文献１】特開２００３−１６８２６９号公報
【特許文献２】特開平５−４６９６１号公報
【発明の開示】
【発明が解決しようとする課題】
【０００７】
しかしながら、特許文献１に開示されたような、いわゆるタイミングベーストサーボ方式の場合、磁気テープの長手方向に離れた複数のサーボパターンを読み取らなければ磁気ヘッドのトラッキング位置を取得（演算）することができない。そのため、磁気テープが幅方向に高い周波数で変動する場合などには、磁気ヘッドが磁気テープの動きに追従できないという問題がある。
【０００８】
また、特許文献２に記載のトラッキングサーボ方式では、２つのサーボトラックから、磁気ヘッドの位置情報は一つしか得ることができない。また、特許文献２の図２などに示されているように、サーボトラックの両脇に、サーボトラックと同等の無記録部分を設けなければならない。そのため、大記録容量化する上で、磁気テープの表面積が十分に利用できないという問題がある。
【０００９】
本発明は、以上のような背景に鑑みてなされたものであり、高速応答を可能にするとともに、磁気テープの記録面を有効に利用して大記憶容量化が可能な磁気テープ、磁気テープカートリッジ、磁気テープドライブ、磁気ヘッドのトラッキング制御方法およびサーボライタを提供することを目的とする。
【課題を解決するための手段】
【００１０】
前記した課題を解決した本発明は、テープの幅方向に山形または谷形の信号強度分布を有するサーボトラックを少なくとも一つ備えたことを特徴とする。
【００１１】
このような磁気テープによると、サーボトラックの幅よりも小さな読取幅を有するサーボ信号読取素子が一の前記サーボトラックの幅内に少なくとも２つ設けられた磁気ヘッドによりサーボ信号を読み取ると、各サーボ信号読取素子がサーボトラック内のどの位置にあるかにより読み取った信号の強度が変化する。そこで、例えば２つのサーボ信号読取素子で読み取った信号の強度が同じになるように磁気ヘッドの位置を調整すれば、磁気ヘッドのトラッキングが可能となる。この場合、磁気ヘッドは、２つのサーボ信号読取素子の間がサーボトラックの中央をトレースするように制御される。
【００１２】
このようなトラッキング制御を行うと、サーボ信号（サーボパターン）を一つ読み取れば、２つのサーボ信号読取素子で読み取ったサーボ信号の強度を比較することで、その時に磁気ヘッドのトラッキング位置を取得することができる。そのため、磁気テープの変動に対し、高い応答性で磁気ヘッドを追従させることができる。
【００１３】
また、２つのサーボ信号読取素子の読取幅を、サーボトラックの幅に比較して小さくすることで、サーボトラックの周囲に、サーボトラック相当の無記録部分を設ける必要がなく、データトラック（データバンド）をサーボトラックに近づけることができる。そのため、磁気テープの記録面を有効に利用し、大記録容量化を実現することができる。
【００１４】
さらに、サーボトラックに配置されたサーボ信号の強度が、幅方向に山形または谷形の分布を持っていることから、２つのサーボ信号読取素子をサーボトラックの幅方向中央からずれた位置をトレースするように位置制御することもでき、一つの種類の磁気テープを、複数種類のデータトラック幅の記録フォーマットに用いることができる。
【００１５】
前記サーボトラックは、前記テープの幅方向に向いた磁気モーメントを、一のサーボトラックの全幅において一つ有するサーボパターンを配置させて構成することができる。
【００１６】
このようなサーボトラックのサーボ信号を、テープの幅方向に向き、かつサーボトラックの幅より小さい磁気ギャップを有する誘導型磁気ヘッドで読み取れば、磁気モーメントにより形成される磁界の特性により、磁気モーメントの中央付近で強い磁力が磁気ギャップに入り磁気モーメントの両端付近では、弱い磁力が磁気ギャップに入る。したがって、サーボ信号読取素子で読み取れるサーボ信号の強度は、磁気モーメントの中央付近、つまり、サーボトラックの中央付近で強く、磁気モーメントの両端付近、つまりサーボトラックの幅方向の両端付近で弱くなり、サーボ信号は、山形または谷形の強度分布を有するものとして読み取られる。なお、サーボ信号の強度分布が山形か谷形かは、信号をプラスに取るか、マイナスに取るかの問題であるので、例えば、磁気ヘッドを構成するコイルの巻方向を逆にすれば山と谷が逆になる。
【００１７】
前記サーボトラックは、前記テープの厚み方向に向いた磁気モーメントを、一のサーボトラックの全幅において一つ有するサーボパターンを配置させて構成することができる。または、前記サーボトラックは、前記テープの厚み方向に向いた磁気モーメントが、一のサーボトラックの全幅において複数有するサーボパターンが配置され、前記一のサーボトラックの幅方向中央に近い磁気モーメントほど、その大きさが大きくなるように構成することができる。
【００１８】
このようなサーボトラックのサーボ信号を、サーボトラックの幅より小さい読取幅を有するＭＲ（Magneto Resistive：磁気抵抗効果）ヘッドで読み取れば、磁気モーメントにより形成される磁界の特性により、磁気モーメントの中央付近で強い磁力が発生し、その周囲である磁気モーメントの両脇付近では、弱い磁力が発生する。したがって、サーボ信号読取素子で読み取れるサーボ信号の強度は、磁気モーメントの中央付近、つまり、サーボトラックの中央付近で強く、磁気モーメントの両端付近、つまりサーボトラックの幅方向の両端付近で弱くなり、サーボ信号は、山形または谷形の強度分布を有するものとして読み取られる。
【００１９】
前記サーボトラックは、前記磁気モーメントの大きさを、前記テープの長手方向において、連続的または断続的に変化させて構成することができる。
また、前記磁気モーメントは、前記テープの長手方向において、磁気モーメントの向きを反転させることも可能である。
【００２０】
そして、前記サーボトラックは、前記磁気モーメントの大きさの変化により符号化された情報が記録されていることが望ましい。また、前記サーボトラックは、前記磁気モーメントの前記テープの長手方向における配置の間隔により符号化された情報が記録されていることが望ましい。このような情報としては、例えば、磁気テープの長手方向の位置を挙げることができる。
【００２１】
また、前記した各磁気テープは、カートリッジケースに収容することで磁気テープカートリッジを構成することができる。
【００２２】
前記した課題を解決する本発明は、テープの幅方向に山形または谷形の信号強度分布を有するサーボトラックを少なくとも一つ備えた磁気テープに対し、情報の記録または再生を行う磁気テープドライブであって、前記サーボトラックの幅よりも小さな読取幅を有するサーボ信号読取素子が一の前記サーボトラックの幅内に少なくとも２つ設けられた磁気ヘッドと、前記磁気ヘッドを前記磁気テープの幅方向に移動させるアクチュエータと、前記サーボ信号読取素子が読み取った信号に基づいて、前記アクチュエータを作動させることで前記磁気ヘッドをトラッキング制御する制御装置と、を備え、前記制御装置は、前記２つのサーボ信号読取素子が読み取った各サーボ信号の強度の差が所定値になるように前記アクチュエータを作動させることを特徴とする。
【００２３】
このような磁気テープドライブによると、２つのサーボ信号読取素子がサーボ信号を読み取ると、各サーボ信号読取素子のサーボトラック内での位置に応じて、得られる信号の強度が変化する。そこで、２つのサーボ信号読取素子で読み取った信号の強度の差が所定値に近づくように磁気ヘッドの位置を調整することで、磁気ヘッドのトラッキングが可能となる。このようなトラッキングによれば、高速応答性が良く、磁気テープの大記憶容量化に対応することができる。
【００２４】
なお、２つのサーボ信号読取素子で読み取った信号の強度の差が０になるように磁気ヘッドの位置を制御することで、２つのサーボ信号読取素子の間が、サーボトラックの中央をトレースするように制御される。一方、２つのサーボ信号読取素子で読み取った信号の差が０からずれた値になるように磁気ヘッドの位置を制御することで、２つのサーボ信号読取素子の間が、サーボトラックの中央からずれた位置をトレースするように制御される。
このように、サーボトラックの中央からずれた位置でトラッキング制御することにより、同じ種類の磁気テープを使用した場合でも、データトラック幅の異なる複数のフォーマットで記録・再生することが可能となる。
【００２５】
また、このような位置制御を行うため、他の構成として、前記制御装置は、前記２つのサーボ信号読取素子が読み取った各サーボ信号を、その強度が一方に対し他方が大きくなるように補正することにより、前記２つのサーボ信号読取素子が前記サーボトラックの中央からずれた位置になるようにトラッキング制御することができる。
【００２６】
前記サーボトラックは、前記テープの幅方向に向いた磁気モーメントを、一のサーボトラックの全幅において一つ配置して構成でき、この磁気テープに対しては、前記２つのサーボ信号読取素子は、前記テープの幅方向に向いた磁気ギャップを有する誘導型磁気ヘッドであるように構成することができる。
【００２７】
前記サーボトラックは、前記テープの厚み方向に向いた磁気モーメントを、一のサーボトラックの全幅において一つまたは複数配置して構成でき、この磁気テープに対しては、前記２つのサーボ信号読取素子は、ＭＲヘッドで構成することができる。
【００２８】
前記した課題を解決する本発明は、テープの幅方向に山形または谷形の信号強度分布を有するサーボトラックを少なくとも一つ備えた磁気テープに対し、前記サーボトラックの幅よりも小さな読取幅を有するサーボ信号読取素子が一の前記サーボトラックの幅内に少なくとも２つ設けられた磁気ヘッドをトラッキング制御する方法であって、前記２つのサーボ信号読取素子により前記サーボトラックからサーボ信号を読み取り、読み取った２つのサーボ信号の強度が同じになるように前記磁気ヘッドを前記テープの幅方向に移動させることを特徴とする。
【００２９】
このような磁気ヘッドのトラッキング方法によれば、前記した磁気テープドライブと同様に、トラッキングの高速応答性が良く、磁気テープの大記憶容量化に対応することができる。
【００３０】
前記した課題を解決する本発明は、テープの幅方向に山形または谷形の信号強度分布を有するサーボトラックを少なくとも一つ備えた磁気テープを製造するためのサーボライタであって、前記サーボトラックに信号が記録されていない磁気テープ素材を供給し、走行させる磁気テープ搬送装置と、走行している前記磁気テープ素材に摺接され、前記サーボトラックにサーボ信号を記録するサーボ信号書込ヘッドと、前記サーボ信号書込ヘッドに信号を入力する制御装置とを備え、前記サーボ信号書込ヘッドは、一の前記サーボトラックに対応して、前記磁気テープ素材の幅方向に向いた一つの磁気ギャップが形成されていることを特徴とする。
【００３１】
このようなサーボライタによれば、前記した、高速応答性に優れたトラッキングを可能とし、大記憶容量に対応した磁気テープを製造することができる。
【００３２】
前記した課題を解決する本発明は、テープの幅方向に山形または谷形の信号強度分布を有するサーボトラックを少なくとも一つ備えた磁気テープを製造するためのサーボライタであって、前記サーボトラックに信号が記録されていない磁気テープ素材を供給し、走行させる磁気テープ搬送装置と、走行している前記磁気テープ素材に摺接され、前記サーボトラックにサーボ信号を記録するサーボ信号書込ヘッドと、前記サーボ信号書込ヘッドに信号を入力する制御装置とを備え、前記サーボ信号書込ヘッドは、一の前記サーボトラックに対応して、当該サーボトラックの幅内に前記テープの厚み方向に向いた一つの磁気モーメントを形成する誘導型磁気ヘッドであることを特徴とする。
【００３３】
このようなサーボライタによれば、一つのサーボトラックの幅内に厚み方向に向いた一つの磁気モーメントを有する磁気テープを製造できる。そのため、磁気テープドライブのサーボ信号読取素子がＭＲヘッドであれば、山形または谷型の信号強度分布を得ることができる。
【００３４】
また、同様の信号強度分布を得るため、前記サーボ信号書込ヘッドを、一の前記サーボトラックに対応して、当該サーボトラックの幅内に前記テープの厚み方向に向いた複数の磁気モーメントを形成する誘導型磁気ヘッドとし、当該誘導型磁気ヘッドを構成する磁気コアを、前記幅方向において磁気的に複数に分割し、当該分割された各部分の透磁率の大きさが、幅方向中央から外側へ向かって徐々に大きくまたは徐々に小さくなるように構成してもよい。
【発明の効果】
【００３５】
本発明によれば、磁気テープのトラッキングを行う場合に高速応答性を良くすることができ、大記憶容量化することも可能である。
【発明を実施するための最良の形態】
【００３６】
［第１実施形態］
次に、本発明の実施形態について、適宜図面を参照しながら詳細に説明する。
まず、本発明の第１実施形態に係る磁気テープについて説明する。参照する図において、図１は、第１実施形態に係る磁気テープおよび磁気ヘッドの斜視図であり、図２は、磁気テープドライブの構成図であり、図３は、磁気テープおよび磁気ヘッドの平面図であり、図４は、制御装置のブロック図である。
【００３７】
図１に示すように、第１実施形態に係る磁気テープＭＴは、支持体であるテープＴの上に磁性層Ｍが形成され、この磁性層Ｍに長手方向に沿って繰り返しサーボパターンＳＰが書き込まれたサーボトラックＳＴが形成されて構成されている。なお、磁気テープＭＴの層構成の詳細は省略するが、必要に応じ非磁性層などが含まれる。
【００３８】
磁気テープＭＴは、後述する磁気テープドライブ２０によりデータの記録および再生が行われる。磁気テープドライブ２０に設けられる磁気ヘッドＨには、サーボトラックＳＴの位置におよそ対応してサーボ信号読取素子ＳＲａ，ＳＲｂ（以下、特定しない場合には、単に「ＳＲ」とする。）が配置されている。サーボ信号読取素子ＳＲの幅（テープＴの幅方向の大きさ）は、サーボトラックＳＴの幅より小さく形成されている。なお、図１におけるサーボ信号読取素子ＳＲは、誘導型磁気ヘッドを模式的に示したものである。磁気ヘッドＨ上の各素子は、実際には薄膜形成技術により形成される。
【００３９】
サーボトラックＳＴに形成されるサーボパターンＳＰは、サーボ信号読取素子ＳＲにより読み取って得た信号の出力（本明細書において、「信号強度」とする。）が、幅方向に山形の分布を有するように形成されている。信号強度が山形の分布を有するか否かは、サーボ信号読取素子ＳＲの構成に依存する。本実施形態においては、サーボパターンＳＰは、一のサーボトラックＳＴの全幅において、幅方向に向いた一つの磁気モーメント４１を有して構成されている。
また、サーボパターンＳＰは、図１および図３に示すように、磁気テープＭＴの長手方向に所定間隔を空けて繰り返し配置されている。
【００４０】
サーボトラックＳＴは、磁気テープＭＴの両縁部付近に、長手方向に沿ってそれぞれ１つ形成されている（図３参照）。もっとも、サーボトラックＳＴの数は、１つであってもよく、３つ以上であっても構わない。
サーボトラックＳＴの間には、データが記録されるデータバンドＤＢが配置されている。データバンドＤＢには、サーボトラックＳＴと同程度の幅のデータトラックＤＴが配置されている。データトラックＤＴは、情報が記録される前は、概念上のものであり、磁性層Ｍの磁性体はデータトラックＤＴにおいてランダムな配列となっていてもよいし、一方向（例えば長手方向の一方向）に向いていてもよい。
このような磁気テープＭＴは、公知のように、図２に示したようなカートリッジケース１２に収容されて、磁気テープカートリッジ１０を構成する。
【００４１】
次に、このように構成された磁気テープＭＴにデータの記録・再生を行う磁気テープドライブ２０の構成について説明する。
図２に示すように、磁気テープドライブ２０は、磁気テープカートリッジ１０から磁気テープＭＴを引き出して、磁気ヘッドＨによりデータを記録・再生する装置である。具体的に、磁気テープドライブ２０は、搬送装置２１、磁気ヘッドＨ、回転速度センサ２９および制御装置２７を主に備えて構成されている。
【００４２】
搬送装置２１は、磁気テープＭＴを一方向または他方向へ搬送する装置であり、主に、送出モータ２５、巻取リール２３、巻取モータ２６および複数のガイドローラＧを備えて構成されている。
【００４３】
送出モータ２５は、磁気テープカートリッジ１０内のカートリッジリール１１を回転駆動するものであり、その回転方向、回転速度、回転トルクなどが制御装置２７によって適宜制御されるようになっている。具体的に、磁気テープＭＴを巻取リール２３で巻き取る際には、制御装置２７によって、送出モータ２５の回転速度や回転トルクが、巻取リール２３で巻き取られる磁気テープＭＴの速度に応じて調整されることで、磁気テープＭＴに適度な張力が付与される。また、磁気テープＭＴをカートリッジリール１１に巻き戻す（巻き取る）際には、制御装置２７の指示によって、送出モータ２５は所定の回転速度で巻き戻す方向に回転する。
【００４４】
巻取リール２３は、カートリッジリール１１から送り出された磁気テープＭＴを巻き取るリールである。
【００４５】
巻取モータ２６は、巻取リール２３を回転駆動するものであり、その回転方向、回転速度、回転トルクなどが制御装置２７によって適宜制御されるようになっている。具体的に、磁気テープＭＴをカートリッジリール１１に巻き戻す際には、制御装置２７によって、巻取モータ２６の回転速度や回転トルクが、カートリッジリール１１に巻き戻される磁気テープＭＴの速度に応じて調整されることで、磁気テープＭＴに適度な張力が付与される
また、磁気テープＭＴを巻取リール２３で巻き取る際には、制御装置２７の指示によって、巻取モータ２６は、所定の回転速度で巻き取る方向に回転する。
【００４６】
なお、本実施形態においては、送出モータ２５または巻取モータ２６の回転速度および回転トルクの制御により磁気テープＭＴの張力を制御しているが、ダンサローラを用いて張力を調整してもよいし、バーキュームチャンバに磁気テープを適宜引き込むことで張力を調整してもよい。
【００４７】
ガイドローラＧは、磁気テープＭＴを案内するためのローラであり、磁気テープドライブ２０内の所定位置に適宜配設されることによって、磁気テープＭＴの走行経路が決められている。
【００４８】
回転速度センサ２９は、磁気テープＭＴの走行速度に関連する速度情報として、巻取リール２３の回転速度を検出している。そして、回転速度センサ２９は、検出した回転速度を制御装置２７に出力している。
【００４９】
磁気ヘッドＨは、磁気テープＭＴの全幅にわたって摺接する大きさで形成されている。そして、磁気テープＭＴとの摺接面には、図３に示すように、サーボ信号読取素子ＳＲ、データ記録素子Ｗ１、Ｗ２、・・・Ｗｎ（以下、特定しない場合には、単に「Ｗｎ」とする。）およびデータ再生素子Ｒ１、Ｒ２、・・・Ｒｎ（以下、特定しない場合には、単に「Ｒｎ」とする。）が配置されている。
【００５０】
サーボ信号読取素子ＳＲは、図に示すように幅方向に向いた磁気ギャップ６５ａ，６５ｂを有している。サーボ信号読取素子ＳＲの幅は、サーボトラックＳＴの幅よりも小さく（狭く）形成されている。
【００５１】
サーボ信号読取素子ＳＲは、図３における上下のサーボトラックＳＴに対応して、それぞれ、２つずつ配置されている。上のサーボトラックＳＴに対応したサーボ信号読取素子ＳＲａ，ＳＲｂは、双方がサーボトラックＳＴ内に収まる間隔で、互いに所定の距離を開けて配置されている。下のサーボトラックＳＴに対応したサーボ信号読取素子ＳＲｃ，ＳＲｄも同様に、双方がサーボトラックＳＴ内に収まる間隔で、互いに所定の距離を空けて配置されている。
【００５２】
データ記録素子Ｗｎは、磁気ヘッドＨの中央付近に、隣接するもの同士がテープ長手方向にずれるように千鳥状に配置されている。
データ再生素子Ｒｎも、図３におけるデータ記録素子Ｗｎの左側に、隣接するもの同士がテープ長手方向にずれるように千鳥状に配置されている。
【００５３】
本実施形態においては、データ記録素子Ｗｎおよびデータ再生素子Ｒｎの幅は、サーボトラックＳＴと同等の大きさに形成されているが、このような大きさに限られるものではなく、サーボトラックＳＴよりもより小さい幅に形成して、より狭いデータトラックを形成するようにしてもよい。また、特許文献２のように、サーペンタイン型の記録方式にして、データ記録素子Ｗｎおよびデータ再生素子Ｒｎを、それぞれ幅方向に所定間隔を空けて配置してもよい。
【００５４】
磁気ヘッドＨには、アクチュエータＡが取り付けられている。アクチュエータＡは、磁気ヘッドＨを磁気テープＭＴの幅方向に移動させる装置であり、例えば、圧電素子などを用いることができる。
【００５５】
制御装置２７は、前記したように搬送装置２１を制御する他、磁気ヘッドＨのサーボ信号読取素子ＳＲａ，ＳＲｂが読み取ったサーボ信号に基づいて、磁気ヘッドＨをトラッキング制御する。    
制御装置２７は、図４に示すように、プリアンプ２７ａ、補正回路２７ｂ、差分器２７ｃ、駆動回路２７ｄ、パルス発生回路２７ｅ、および主制御部２７ｘを備えている。
プリアンプ２７ａは、サーボ信号読取素子ＳＲａ，ＳＲｂからそれぞれ入力されたサーボ信号（Ｉａ′，Ｉｂ′）がそれぞれ入力されるように２つ設けられており、入力された信号を適度に増幅する。
【００５６】
補正回路２７ｂは、各プリアンプ２７ａに対応して設けられる。補正回路２７ｂは、主制御部２７ｘの指示に従い、プリアンプ２７ａから出力された信号を適宜なゲインで増幅する。これにより、サーボ信号読取素子ＳＲの感度のばらつきを補正することができる。なお、この補正値の決定は、一様な磁場において行えばよい。また、２つの補正回路２７ｂの一方が、他方より大きい信号を出力するように補正値を設定すれば、サーボ信号読取素子ＳＲａ，ＳＲｂの中央をサーボトラックＳＴの中央からずらしてトラッキング制御することもできる。
【００５７】
差分器２７ｃは、補正回路２７ｂから出力されたサーボ信号（Ｉａ，Ｉｂ）が入力され、これらのサーボ信号（Ｉａ，Ｉｂ）の強度の差分を計算する。この差分は、駆動回路２７ｄに出力される。
【００５８】
駆動回路２７ｄは、差分器２７ｃから入力された信号に基づき、アクチュエータＡに駆動信号を出力する。差分器２７ｃから入力された信号が０であった場合、駆動回路２７ｄは、アクチュエータＡを動かさず、現状の位置に維持する。これにより、サーボ信号読取素子ＳＲａ，ＳＲｂは、サーボトラックＳＴの中央を基準に振り分けた位置にフィードバック制御される。
【００５９】
パルス発生回路２７ｅは、磁気テープＭＴにデジタルデータを書き込むためのパルス信号を発生する回路である。
【００６０】
主制御部２７ｘは、入出力インタフェース（Ｉ／Ｏ）から入力された磁気テープＭＴに記録すべきデータに応じてパルス発生回路２７ｅに信号を出力する。また、磁気ヘッドＨのデータ再生素子Ｒｎから読み取った信号をデジタルデータに変換して入出力インタフェース（Ｉ／Ｏ）に出力する。さらに、磁気ヘッドＨのトラッキング位置を変更する場合には、前記した補正回路２７ｂに補正信号を出力する。
【００６１】
以上のように構成された磁気テープドライブ２０の動作について説明する。参照する図において、図５（ａ）は、サーボ信号読取素子とサーボパターンの関係を示す図であり、（ｂ）は、サーボ信号読取素子で読み取られる信号の強度分布を示す図であり、図６（ａ）は、サーボトラックと磁気ヘッドの相対的位置の時間的変化を示した図であり、（ｂ）は、一のサーボ信号読取素子で読み取ったサーボ信号の強度の変化を示す図であり、（ｃ）は、他のサーボ信号読取素子で読み取ったサーボ信号の強度の変化を示す図であり、（ｄ）は、一のサーボ信号読取素子で読み取ったサーボ信号と他のサーボ信号読取素子で読みとったサーボ信号の差分の変化を示す図である。
【００６２】
図５（ａ）に示すように、サーボトラックＳＴのサーボパターンＳＰにサーボ信号読取素子ＳＲが通過すると、サーボ信号読取素子ＳＲａ，ＳＲｂのそれぞれに形成された磁気ギャップ６５ａ，６５ｂに、サーボパターンＳＰの磁気モーメント４１により周囲に形成された磁力線４１ａの一部が入る。磁気ギャップ６５ａ，６５ｂは、磁気テープＭＴの幅方向に向いていることから、磁力線４１ａの、幅方向に向いた成分が、サーボ信号読取素子ＳＲａ，ＳＲｂの読取信号の出力の大きさとなる。そのため、サーボ信号読取素子ＳＲが、サーボパターンＳＰから読み取る信号の出力は、その位置に応じて図５（ｂ）のようになる。図５（ｂ）のグラフの横軸は、図５（ａ）のサーボパターンＳＰの位置とおよそ合わせてある。図５（ｂ）に示すように、サーボ信号読取素子ＳＲが読み取る信号の出力の分布、すなわち信号強度分布は、磁力線４１ａの特性により、幅方向に山形の分布を有することになる。
【００６３】
このサーボパターンＳＰから読み取られるサーボ信号を利用して磁気ヘッドＨをトラッキング制御する動作を説明する。図６（ａ）に示すように、サーボトラックＳＴに対して磁気ヘッドＨが時刻ｔ１，ｔ２，ｔ３，ｔ４のように位置した場合の信号強度（パルス信号のピーク電圧をプロットしたもの）をグラフにすると図６（ｂ）、（ｃ）のようになる。
図６（ａ）の時刻ｔ１，ｔ３のようにサーボ信号読取素子ＳＲａ，ＳＲｂが、サーボトラックＳＴの中心線ＣＬに関し対象にある場合、サーボ信号読取素子ＳＲａとサーボ信号読取素子ＳＲｂが読み取る信号の出力は同じとなる。
そして、図６（ａ）の時刻ｔ２のように、サーボ信号読取素子ＳＲが、サーボトラックＳＴに対し相対的に図における下側にずれた場合、サーボ信号読取素子ＳＲａの信号強度Ｉａは高くなり、サーボ信号読取素子ＳＲｂの信号強度Ｉｂは低くなる（図６（ｂ）、（ｃ）参照）。
逆に、図６（ａ）の時刻ｔ４のように、サーボ信号読取素子ＳＲが、サーボトラックＳＴに対し相対的に図における上側にずれた場合、サーボ信号読取素子ＳＲａの信号強度Ｉａは低くなり、サーボ信号読取素子ＳＲｂの信号強度Ｉｂは高くなる（図６（ｂ）、（ｃ）参照）。
【００６４】
このようにして得られた、信号強度Ｉａ，Ｉｂについて差分器２７ｃにより差分Ｉａ−Ｉｂをとると、図６（ｄ）のようになる。この差分Ｉａ−Ｉｂは、サーボ信号読取素子ＳＲａ，ＳＲｂのサーボトラックＳＴの中心線ＣＬからのずれ量を示しているから、この差分の信号に応じてアクチュエータＡを駆動することで、サーボ信号読取素子ＳＲａ，ＳＲｂがサーボトラックＳＴの中央を基準に振り分けた位置をトレースするようにトラッキング制御することができる。
【００６５】
このように、本実施形態の磁気テープＭＴのサーボ信号の信号強度分布が幅方向に山形となっていることから、磁気テープドライブ２０が、サーボ信号読取素子ＳＲａ，ＳＲｂのそれぞれで読み取った信号強度が同じになるように磁気ヘッドＨを制御すると、サーボ信号読取素子ＳＲａ，ＳＲｂがサーボトラックＳＴの中央を基準に振り分けた位置にトラッキング制御できる。
【００６６】
このようなトラッキング制御方法によれば、従来のタイミングベーストサーボ方式と異なり、サーボパターンＳＰを読み取ったその時に、磁気ヘッドＨの磁気テープＭＴの幅方向における位置の情報を得ることができる。特に、制御装置２７が行う演算としては、２つのサーボ信号読取素子ＳＲａ，ＳＲｂが読み取ったサーボ信号の差分を計算するという処理のみであるので、制御装置２７の演算の負担が極めて軽く、フィードバック制御のサンプリング周波数を高くすることができる。そのため、磁気テープＭＴの急激な位置変動があっても、磁気ヘッドＨのトラッキングエラーを抑制することができる。また、サーボパターンＳＰを、磁気テープＭＴの長手方向に詰めた状態で配置し、磁気ヘッドＨの位置情報を、単位時間内に多く取得することで、磁気ヘッドＨの位置精度をより高めることができる。或いは、磁気テープＭＴの走行速度を上げることで、磁気テープドライブ２０の転送速度を高くすることができる。
【００６７】
また、サーボ信号読取素子ＳＲの読取幅は、サーボトラックＳＴの幅よりも小さく形成されていることから、サーボトラックＳＴの両脇に、データ信号の無記録部分を大きく設ける必要がない。そのため、サーボトラックＳＴの近傍の記録面を有効に利用して、磁気テープＭＴの大記憶容量化を図ることができる。
なお、第１実施形態においては、幅方向に山形の強度分布を有するサーボトラックを有する磁気テープＭＴを例示したが、山形か谷形かは、サーボ信号読取素子ＳＲとの関係により決まり、サーボ信号読取素子ＳＲのコイルの巻方向を逆にしたり、磁気モーメント４１の向きを逆にしたり、信号を読み取った後の信号処理により、谷形の信号強度となりうる。
【００６８】
次に、上記のような磁気テープＭＴを製造するサーボライタについて説明する。参照する図において、図７は、サーボライタの全体構成を示す図であり、図８は、サーボ信号書込ヘッドと磁気テープの関係を模式的に示す斜視図である。
図７に示すように、サーボライタ３０は、磁気テープドライブ２０と同様の磁気テープ搬送装置３１を有し、サーボ信号が書き込まれていない磁気テープ素材５１を磁気テープ搬送装置３１により走行させながら、サーボ信号書込ヘッドＳＷＨにより磁気テープ素材５１にサーボ信号を書き込む装置である。なお、以下の説明において、磁気テープドライブ２０と同様の部分については、適宜説明を省略する。
【００６９】
サーボライタ３０は、ベースプレート３０ａに、磁気テープ搬送装置３１が配置されている。磁気テープ搬送装置３１は、磁気テープＭＴを一方向または他方向へ搬送する装置であり、主に、送出モータ３５、送出リール３２、巻取リール３３、巻取モータ３６、複数のガイドローラＧおよびヘッドガイドアセンブリ３４を備えて構成されている。
【００７０】
制御装置３７は、回転速度センサ３９が検出した巻取リール３３の回転速度に基づき、磁気テープ素材５１の走行速度を演算し、送出モータ３５および巻取モータ３６の回転速度および回転トルクを制御することで、磁気テープ素材５１を一定速度で搬送するとともに、磁気テープ素材５１に一定の張力を付与している。なお、公知のように、ダンサローラや、バーキュームチャンバを用いて磁気テープ素材５１の張力を調整してもよい。
【００７１】
サーボ信号書込ヘッドＳＷＨの、磁気テープ素材５１の走行方向上流側および下流側には、磁気テープ素材５１の幅方向の位置を正確に位置決めするヘッドガイドアセンブリ３４が配置されている。
【００７２】
制御装置３７には、パルス発生回路３７ａが設けられ、パルス発生回路３７ａからサーボ信号書込ヘッドＳＷＨにパルス信号が出力されることで、磁気テープ素材５１には、このパルス信号に応じた間隔でサーボパターンＳＰが書き込まれる。
【００７３】
サーボ信号書込ヘッドＳＷＨは、図８に示すように、サーボトラックＳＴの位置に対応してサーボ信号書込素子ＳＷＥが配置されている。サーボ信号書込素子ＳＷＥは、磁気テープ素材５１の幅方向に向けて磁気ギャップ６６が形成された誘導型の磁気ヘッドである。磁気ギャップ６６の幅方向の大きさは、サーボパターンＳＰの幅と同じ大きさである。このサーボ信号書込素子ＳＷＥにパルス信号を入力することで、磁気ギャップ６６から磁気テープ素材５１の幅方向に向いた漏れ磁束が発生し、この漏れ磁束によりサーボパターンＳＰが記録される。
【００７４】
このようなサーボライタ３０により、磁気テープ素材５１を搬送しながら、サーボ信号書込ヘッドＳＷＨに制御装置３７から適宜なタイミングでパルス信号を出力することにより、磁性層ＭにサーボパターンＳＰを形成することができる。
【００７５】
［第２実施形態］
次に、本発明の第２実施形態について説明する。第２実施形態は、磁気テープへのサーボ信号の書込方法を変えたものである。本実施形態においては、第１実施形態と異なる点を中心に説明し、同様の部分については適宜説明を省略する。参照する図において、図９（ａ）は、第２実施形態に係る磁気テープに書き込まれたサーボパターンと磁気ヘッドの関係を示す図であり、（ｂ）は、サーボ信号読取素子で読み取られる信号の強度分布を示す図であり、図１０は、第２実施形態に係る磁気テープの製造のためにサーボライタでサーボ信号を書き込む方法を説明する模式的な斜視図であり、図１１（ａ）は、サーボ信号を書き込む方法の変形例を示す模式的な斜視図であり、図１１（ｂ）は、（ａ）の拡大図である。
【００７６】
図９（ａ）に示すように、第２実施形態に係る磁気テープＭＴ′では、磁性層Ｍの平面方向に垂直、すなわち厚み方向に磁気モーメント４５が向いている。このような垂直記録を行うため、磁性層Ｍの下（テープＴ側）には、任意的に裏打ち層Ｕを形成するとよい。裏打ち層Ｕは、軟磁性材料からなり、公知のように磁力線を磁性層Ｍの厚み方向に通すために磁性層Ｍの裏側で通す膜となる。磁性層Ｍとしては、例えば特開２００１−２９７４２３号公報の実施例（特に実施例８）に開示されているように、磁性層ＭのＳＱが０．８３程度の垂直記録に適した板状比、Ｈｃを有している材料を用いるのがよい。
【００７７】
第２実施形態に係る磁気テープＭＴ′は、いわゆるＭＲヘッドで構成されたサーボ信号読取素子ＳＲＭａ，ＳＲＭｂを用いる。サーボ信号読取素子ＳＲＭａ，ＳＲＭｂの読取幅は、第１実施形態と同様に、サーボトラックＳＴ′の幅よりも小さく形成されている。なお、ＭＲヘッドは、公知のように、外部磁界の変動に応じて電気抵抗が変化する素子を用いている。
磁性層Ｍの厚み方向に向いた磁気モーメント４５が一つある場合、その周囲には、図９（ａ）に示したように、磁気モーメント４５の幅方向中央付近に強い磁界が発生し、遠くなるほど弱くなるような磁力線４５ａが形成される。そのため、ＭＲヘッドからなるサーボ信号読取素子ＳＲＭａ，ＳＲＭｂによりサーボ信号を読み取ると、図９（ｂ）に示すように、サーボパターンＳＰ′の幅方向中央付近で大きく、サーボパターンＳＰ′の幅方向中央から遠くなる程弱くなるような出力Ｉが得られる。
【００７８】
このように、サーボパターンＳＰ′を有するサーボトラックＳＴ′を備える磁気テープＭＴ′によれば、第１実施形態の磁気テープドライブ２０において、磁気ヘッドＨをＭＲヘッドからなるサーボ信号読取素子ＳＲＭａ，ＳＲＭｂを備える磁気ヘッドＨ′を用いることで、磁気テープＭＴと全く同様に磁気ヘッドＨ′のトラッキング制御をすることができる。
【００７９】
そして、磁気テープＭＴと同様に、極めて軽い演算負荷で磁気ヘッドＨのトラッキング制御ができるため、磁気ヘッドＨ′の応答性を高め、磁気ヘッドＨ′位置精度の向上、データ転送速度の向上などの効果を得ることができる。また、サーボ信号読取素子ＳＲＭａ，ＳＲＭｂの読取幅は、サーボトラックＳＴの幅よりも小さく形成されていることから、サーボトラックＳＴの近傍の記録面を有効に利用して、磁気テープＭＴの大容量化を図ることができる。
【００８０】
次に、上記のような磁気テープＭＴ′を製造するサーボライタについて説明する。
第２実施形態の磁気テープＭＴ′を製造するサーボライタは、第１実施形態のサーボライタ３０に対して、サーボ信号書込素子のみが異なる。図１０に示すように、第２実施形態に係るサーボライタのサーボ信号書込ヘッドＳＷＨ２に設けられるサーボ信号書込素子ＳＷＥ２は、Ｕ字型の軟磁性体からなる磁気コア６１に、コイル６２が巻き付けられ、このコイル６２にパルス信号を供給することで、磁性層Ｍを厚み方向に貫く磁束を発生させ、磁性層Ｍ内の磁性体を厚み方向に磁化するようになっている。磁気コア６１の、走行している磁気テープＭＴ′の下流側（図１０における右側）は、磁性層Ｍに対向する先端部の形状が、サーボパターンＳＰ′の形状に合致している。
【００８１】
このようなサーボライタによれば、サーボ信号書込素子ＳＷＥ２のコイル６２にパルス信号を適宜なタイミングで供給することで、磁性層Ｍの厚み方向に磁気モーメントが向いたサーボパターンＳＰ′を形成することができる。なお、図１０では、順方向および逆方向に、繰り返しパルス信号を発生してサーボパターンＳＰ′を形成した例を示している。
【００８２】
図１０においては、一つのサーボトラック内に、幅方向に一つの磁気モーメント４５を有する例を示したが、幅方向に複数の磁気モーメントを形成するようにしてもよい。
例えば、図１１（ｂ）に示した変形例に係るサーボ信号書込ヘッドＳＷＨ３のサーボ信号書込素子ＳＷＥ３では、磁気コア７１の、磁気テープＭＴ′の走行方向下流側を３つの区画に分け、この３つの区画を非磁性体７１ｐにより分離する。そして、先端部７１ａ〜７１ｃを透磁率が異なる材料で構成する。例えば、両側の先端部７１ａと先端部７１ｃを透磁率が低い材料で構成し、中央の先端部７１ｂを透磁率が高い材料で構成する。
【００８３】
このように構成したサーボ信号書込素子ＳＷＥ３を用いると、コイル６２にパルス信号を入力したときに、中央の先端部７１ｂからは強い磁束が出て、両側の先端部７１ａ，７１ｃからは、弱い磁束が出る。そのため、図１１（ａ）に示したように、サーボトラックＳＴ″内の中央には強い磁気モーメント７５ｂが形成され、両側には、弱い磁気モーメント７５ａ，７５ｃが形成される。このようにすると、ＭＲヘッドからなるサーボ信号読取素子ＳＲＭａ，ＳＲＭｂを用いてサーボ信号を読み取ったときに、幅方向に山形の強度分布がよりはっきりと得られる。
また、この変形例において、サーボ信号書込素子ＳＷＥ３の磁気コア７１を、中央ほど透磁率を大きくし、外側にいくにつれ徐々に透磁率を小さくすれば、中央の磁気モーメントを小さくなって、幅方向に谷形の強度分布を有するサーボトラックを形成することができる。
【００８４】
［サーボパターンの配置例］
図１２は、サーボパターンの磁気テープ長手方向における配置例を示した図である。
図１２においては、第１実施形態で説明したような平面方向の磁気モーメントを有する場合で説明するが、垂直方向の磁気モーメントを有する場合においても同様の応用が可能である。
【００８５】
サーボパターンＳＰは、基本的な形態として、図１２（ａ）に示したように、一定間隔で、同じ向きの磁気モーメント４１を配置することができる。
そして、図１２（ｂ）に示すように、磁気テープ長手方向に徐々に磁気モーメント４１の大きさを変化させ、いわば連続的に変化させた態様とすることもできる。また、図１２（ｂ）において、断続的に磁気モーメントの大きさを変化させる態様としてもよい。
また、図１２（ｃ）に示すように、磁気テープ長手方向において、ある位置から磁気モーメントの向きを逆にしてもよい。
また、図１２（ｄ）に示すように、幅方向の大きさが異なる２種類のサーボパターンを混ぜて配置しても良い。このような場合には、例えば、幅が広いサーボパターンＳＰを１に対応させ、幅が狭いサーボパターンＳＰを０に対応させて、１と０の符号により情報を埋め込むことができる。
【００８６】
このような情報の埋め込みは、図１２（ｂ）のように連続的に磁気モーメントの大きさを変える場合においても可能であり、例えば磁気モーメントの変化の振幅の大きさや、周期を変えることで情報を符号化して埋め込むことができる。図１２（ｃ）のような配置パターンにおいても、一方向を向く磁気モーメントの数により符号化することで、情報を埋め込むことができる。
【００８７】
以上に本発明の実施形態について説明したが、本発明は、前記した実施形態に限定されることなく、適宜変形して実施することが可能である。
例えば、実施形態においては、説明の便宜上、サーボトラックの幅と、磁気モーメントの幅を同一にして説明したが、磁気モーメントの幅はサーボトラックの幅よりも大きくても小さくても良い。また、図１などにおいては、サーボトラックの幅方向の周囲には、磁気モーメントを示していないが、周囲は、磁気モーメントの配向がない状態でも良いし、サーボトラックと逆向き、例えば、図１においてサーボトラックＳＴの周囲を右向きの磁気モーメントに揃えておいても構わない。
【００８８】
本発明において、データトラックＤＴの記録方式は特に限定されず、垂直記録方式であってもよいし、平面記録方式であってもよい。
【００８９】
実施形態においては、サーボトラックＳＴの中心線ＣＬを基準に、サーボ信号読取素子ＳＲａ，ＳＲｂを振り分けるように磁気ヘッドＨをトラッキング制御する例について説明したが、このような制御方法に限られず、前記した図４の２つの補正回路２７ｂに、異なるゲインを設定して、サーボトラックＳＴの中央からずれた位置にサーボ信号読取素子ＳＲａ，ＳＲｂをトレースさせるようにトラッキング制御することもできる。このようなトラッキング制御を用いることにより、細かい幅のデータトラックを形成する、次世代の記録方式と、広い幅のデータトラックを形成する過去の世代の記録方式とを、同じ磁気テープＭＴに対して適用することができる。
【図面の簡単な説明】
【００９０】
【図１】第１実施形態に係る磁気テープおよび磁気ヘッドの斜視図である。
【図２】磁気テープドライブの構成図である。
【図３】磁気テープおよび磁気ヘッドの平面図である。
【図４】制御装置のブロック図である。
【図５】図５（ａ）は、サーボ信号読取素子とサーボパターンの関係を示す図であり、（ｂ）は、サーボ信号読取素子で読み取られる信号の強度分布を示す図である。
【図６】（ａ）は、サーボトラックと磁気ヘッドの相対的位置の時間的変化を示した図であり、（ｂ）は、一のサーボ信号読取素子で読み取ったサーボ信号の強度の変化を示す図であり、（ｃ）は、他のサーボ信号読取素子で読み取ったサーボ信号の強度の変化を示す図であり、（ｄ）は、一のサーボ信号読取素子で読み取ったサーボ信号と他のサーボ信号読取素子で読みとったサーボ信号の差分の変化を示す図である。
【図７】サーボライタの全体構成を示す図である。
【図８】サーボ信号書込ヘッドと磁気テープの関係を模式的に示す斜視図である。
【図９】（ａ）は、第２実施形態に係る磁気テープに書き込まれたサーボパターンと磁気ヘッドの関係を示す図であり、（ｂ）は、サーボ信号読取素子で読み取られる信号の強度分布を示す図である。
【図１０】第２実施形態に係る磁気テープの製造のためにサーボライタでサーボ信号を書き込む方法を説明する模式的な斜視図である。
【図１１】（ａ）は、サーボ信号を書き込む方法の変形例を示す模式的な斜視図であり、（ｂ）は、（ａ）の拡大図である。
【図１２】サーボパターンの磁気テープ長手方向における配置例を示した図である。
【符号の説明】
【００９１】
１０    磁気テープカートリッジ
１１    カートリッジリール
１２    カートリッジケース
２０    磁気テープドライブ
２１    搬送装置
２７    制御装置
３０    サーボライタ
３１    磁気テープ搬送装置
３７    制御装置
４１    磁気モーメント
６５ａ  磁気ギャップ
６６    磁気ギャップ
４５    磁気モーメント
５１    磁気テープ素材
Ａ      アクチュエータ
ＤＢ    データバンド
ＤＴ    データトラック
Ｈ      磁気ヘッド
Ｍ      磁性層
ＭＴ    磁気テープ
ＳＰ    サーボパターン
ＳＲ（ＳＲａ，ＳＲｂ）  サーボ信号読取素子
ＳＴ    サーボトラック
ＳＷＥ  サーボ信号書込素子
ＳＷＨ  サーボ信号書込ヘッド
Ｔ      テープ
【図１】
2009020943.tif 000003
【図２】
2009020943.tif 000004
【図３】
2009020943.tif 000005
【図４】
2009020943.tif 000006
【図５】
2009020943.tif 000007
【図６】
2009020943.tif 000008
【図７】
2009020943.tif 000009
【図８】
2009020943.tif 000010
【図９】
2009020943.tif 000011
【図１０】
2009020943.tif 000012
【図１１】
2009020943.tif 000013
【図１２】
2009020943.tif 000014